(57)【要約】【課題】全て同一種類のリンクプレートを用いて隣接するピンの間のピッチを不規則に異ならせることにより作動時騒音レベルを低減したチェーンベルトを提供する。【解決手段】各ピンが一対のピン半体よりなるピンにてリンクプレートを縦横に連結してなるチェーンベルトに於いて、少なくとも一部のピンの一対のピン半体の一方は他方より短くされ、ベルト係合面を呈する一対のプーリ半体間に掛け渡されたとき、長さの異なる一対のピン半体の組合せに於いて長い方のピン半体のみがベルト係合面に両端にて当接し、ベルト係合面に対するピン半体の当接ピッチが少なくとも２種類の間で不規則に変化する。【選択図】図１
2005121179.tif 000002
【特許請求の範囲】
【請求項１】
延在方向に沿って互いに隣接して配置された第一および第二のリンクプレートの隣接する端部が互いに重ね合わされ、該重ね合わせ部にて前記第一のリンクプレートの端部に形成された孔と前記第二のリンクプレートの端部に形成された孔とを貫通して一対のピン半体の組合せよりなるピンが通されることにより該第一および第二のリンクプレートが互いに連結される構造の縦横の繰り返しにより構成されたチェーンベルトにして、前記ピンのうちの少なくとも一部に於ける一対のピン半体の一方は他方より短くされており、ベルト係合面を呈する一対のプーリ半体間に掛け渡されたとき、長さの異なる一対のピン半体の組合せに於いては長い方のピン半体のみが前記ベルト係合面に両端にて当接し、これによって前記ベルト係合面に対する前記ピン半体の当接ピッチが少なくとも２種類の間で変化するようになっていることを特徴とするチェーンベルト。
【請求項２】
前記ベルト係合面に対する前記ピン半体の当接ピッチが３種類の間で変化するようになっていることを特徴とする請求項を１に記載のチェーンベルト。
【請求項３】
前記ピンの全てに於いて一対のピン半体の一方が他方より短くされていることを特徴とする請求項を１または２に記載のチェーンベルト。
【請求項４】
前記ピンのうちの一方のピン半体が短くされるものの選択と配列は作動時騒音を低減する所定の不規則配列に従ってなされることを特徴とする請求項を１、２または３に記載のチェーンベルト。
【請求項５】
前記ピンのうちの一方のピン半体が短くされるものの選択と配列は無作為とされることを特徴とする請求項を１、２または３に記載のチェーンベルト。
【発明の詳細な説明】
【技術分野】
【０００１】
本発明は、多数のリンクプレートをピンにて縦横に連結することにより構成され、ベルト係合面を呈する一対のプーリ半体間に掛け渡されるチェーンベルトに係る。
【背景技術】
【０００２】
上記の如きチェーンベルトは、近年、特に車輌の駆動系に組み込まれるベルト式無段変速機のベルトとして注目され、種々の観点からの改良がなされている。例えば、下記の特許文献１には、この種のチェーンベルトのエネルギ効率を改善し、騒音レベルを低減させることを目的として、各ピンを互いに側面にて転動するピンと、これとは断面形状も長さも異なるインターピースとの組合せとし、ピンとインターピースとはそれぞれ互いに前後に連結されるリンクプレートのそれぞれに対し回転しないよう取り付けられ、一対のプーリ半体のベルト係合面とはピンのみにて係合する構造が示されている。また、下記の特許文献２には、音響学的品質を改善し、騒音を低減する目的で、リンクプレートの両端部に設けられた２つのピン孔の間の距離が３種類に異なるリンクプレートを組み合わせ、隣接するピンの間のピッチが３種類の異なる長さとされたチェーンベルトが記載されている。
【特許文献１】特開平８−３１２７２５号公報
【特許文献２】特開平１０−１２２３０７号公報
【発明の開示】
【発明が解決しようとする課題】
【０００３】
本発明は、上記特許文献２に於ける如く複数種類のリンクプレートを準備することなく、全て同一種類のリンクプレートを用いて、隣接するピンの間のピッチを異ならせることにより作動時騒音レベルを低減したチェーンベルトを提供することを課題としている。
【課題を解決するための手段】
【０００４】
上記の課題を解決するものとして、本発明は、延在方向に沿って互いに隣接して配置された第一および第二のリンクプレートの隣接する端部が互いに重ね合わされ、該重ね合わせ部にて前記第一のリンクプレートの端部に形成された孔と前記第二のリンクプレートの端部に形成された孔とを貫通して一対のピン半体の組合せよりなるピンが通されることにより該第一および第二のリンクプレートが互いに連結される構造の縦横の繰り返しにより構成されたチェーンベルトにして、前記ピンのうちの少なくとも一部に於ける一対のピン半体の一方は他方より短くされており、ベルト係合面を呈する一対のプーリ半体間に掛け渡されたとき、長さの異なる一対のピン半体の組合せに於いては長い方のピン半体のみが前記ベルト係合面に両端にて当接し、これによって前記ベルト係合面に対する前記ピン半体の当接ピッチが少なくとも２種類の間で変化するようになっていることを特徴とするチェーンベルトを提供するものである。
【０００５】
前記ベルト係合面に対する前記ピン半体の当接ピッチは３種類の間で変化するようになっていてもよい。
【０００６】
一対のピン半体の一方を他方より短くすることは、上記の通りピンのうちの選択されたものについてなされてよいが、ピンの全てに於いてなされてもよい。
【０００７】
ピンのうちの一方のピン半体が短くされるものの選択と配列は、作動時騒音を低減する所定の不規則配列に従ってなされてよく、そのような不規則配列は、いくつかの実験により得られたもののうちで最良のものが採用されればよいが、或は無作為とされてもよい。
【発明の効果】
【０００８】
上記の如く、延在方向に沿って互いに隣接して配置された第一および第二のリンクプレートの隣接する端部が互いに重ね合わされ、該重ね合わせ部にて前記第一のリンクプレートの端部に形成された孔と前記第二のリンクプレートの端部に形成された孔とを貫通して一対のピン半体の組合せよりなるピンが通されることにより該第一および第二のリンクプレートが互いに連結される構造の縦横の繰り返しにより構成されたチェーンベルトに於いて、前記ピンのうちの少なくとも一部に於ける一対のピン半体の一方が他方より短くされ、ベルト係合面を呈する一対のプーリ半体間に掛け渡されたとき、長さの異なる一対のピン半体の組合せに於いては長い方のピン半体のみがベルト係合面に両端にて当接すようにされれば、リンクプレートが全て同一の形状のものであっても、ベルト係合面に対するピン半体の当接ピッチは、隣接する２つのピンの互いに向かいあった２つのピン半体が短くされていないピン半体であるとき得られる最小のピッチと、隣接する２つのピンの互いに向かいあった２つのピン半体が短くされたピン半体であるとき得られる最大のピッチと、隣接する２つのピンの互いに向かいあった２つのピン半体の一方は短くされていないが他方は短くされているピン半体であるとき得られる中間のピッチの３種類のピッチとなり、これらのうちの少なくとも２つの異なるピッチが不規則に配列されることにより、チェーンベルトの作動に於ける共振の可能性はほぼ完全に排除され、作動時騒音のレベルの低減が図られる。
【０００９】
一対のピン半体の一方を他方より短くすることがピンの全てについて行われれば、チェーンベルトの一部にピン半体の一方が短くされないピンの配列が続くことにより共振が生ずる恐れを確実に排除することができる。
【００１０】
ピンのうちの一対のピン半体のどちらかが短くされるものに於いてどちらが短くされるかが、いくつかの実験に基づいて作動時騒音レベルを低減する不規則配列のうちで最良のものとされれば、そのような特定の不規則配列を用いたすべての製品について所定の騒音レベル低下を確実に達成することができる。しかし、作動時騒音レベルの上昇は通常主として共振によるものであり、共振さえ避けられれば騒音レベルは大きく抑えられるので、ピンのうちの一対のピン半体のどちらかが短くされるものの選択とそのうちどちらが短くされるかを無作為とすることにより、チェーンベルトの製造費を殆ど増大させることなく騒音レベルを低下させることができる。
【発明を実施するための最良の形態】
【００１１】
添付の図１は本発明によるチェーンベルトの一つの実施の形態を示す一部断面による平面図である。尚、この種のチェーンベルトは通常無端ベルトとして構成されており、図はその一部を示すものである。また、図２は図１に示すチェーンベルトの一部の側面図である。
【００１２】
これらの図に於いて、１０a、１０b、１０c、１０d、１０e、１０f、１０g、１０h、１０i等はいずれも互いに同形のリンクプレートであり、図１に現れている如く縦横に並んで配列されており、それぞれの縦方向両端部に設けられた２つのピン孔１２ar、１２bf、１２br、１２cf、１２cr、１２df、１２dr、１２ef等（但し、図示の実施の形態では各リンクプレートの２つのピン孔、例えばリンクプレート１０cのピン孔１２cfと１２crとは、連続した１つの長孔の両端部によって与えられている）に貫通されたピン１４a、１４b、１４c、１４d等により互いに縦横に連結されている。ピン１４a、１４b、１４c、１４d等はいずれも一対の円弧状のピン半体１６af、１６ar、１６bf、１６br、１６cf、１６cr、１６df、１６dr等よりなっており、これらのピン半体は各々の横断面輪郭が概略円弧状の外側面１８af、１８ar、１８bf、１８br、１８cf、１８cr、１８df、１８dr等にて対応するピン孔１２bf、１２ar、１２cf、１２br、１２df、１２cr、１２ef 、１２dr等に係合して該ピン孔内に保持されつつ、各々の横断面輪郭が概略円弧状の内側面２０af、２０ar、２０bf、２０br、２０cf、２０cr、２０df、２０dr等にて互いに転動係合し合うようになっている。
【００１３】
ピン半体１６af、１６ar〜１６hf、１６hr等には、それぞれの両端部の最外リンクプレートを受ける部分にそれぞれ最外リンクプレートに外側から寄り添う位置にリンクプレート抜止め用突起２２afｐ、２２afｑ、２２arｐ、２２arｑ、２２bfｐ、２２bfｑ、２２brｐ、２２brｑ、２２cfｐ、２２cfｑ、２２crｐ、２２crｑ、２２dfｐ、２２dfｑ、２２drｐ、２２drｑ、２２efｐ、２２efｑ、２２erｐ、２２erｑ、２２ffｐ、２２ffｑ、２２frｐ、２２frｑ、２２gfｐ、２２gfｑ、２２grｐ、２２grｑ、２２hfｐ、２２hfｑ、２２hrｐ、２２hrｑ等が肉盛り、小片の溶接等任意の適当な手段により設けられ、各ピンからのリンクプレートの抜け落ちを阻止している。
【００１４】
図示の実施の形態の於けるチェーンベルトの図示の部分では、ピン１４bと１４cを除く１４a、１４d、１４e、１４f、１４g、１４hにて一対のピン半体の一方が短くされており、ピン１４aとピン１４bとについてみると、隣接する２つのピンの互いに向かいあった２つのピン半体は短くされたピン半体１６arと短くされていないピン半体１６bfであり、このときには隣接する２つのピンの間のピッチは中間のピッチＰmedとなる。また、ピン１４bと１４cとについてみると、隣接する２つのピンの互いに向かいあった２つのピン半体はいずれも短くされていないピン半体で１６brと１６cfであり、このときには隣接する２つのピンの間のピッチは最小ピッチＰminとなる。ピン１４cと１４dとについてみると、隣接する２つのピンの互いに向かいあった２つのピン半体はいずれも短くされていないピン半体で１６ｃrと１６ｄfであり、隣接する２つのピンの間のピッチは中間のピッチＰminとなる。
【００１５】
更に、ピン１４eと１４fとについてみると、隣接する２つのピンの互いに向かいあった２つのピン半体は短くされていないピン半体１６erと短くされたピン半体１６ffであり、隣接する２つのピンの間のピッチは中間のピッチＰmedとなる。ピン１４fと１４gとについてみると、隣接する２つのピンの互いに向かいあった２つのピン半体は短くされていないピン半体１６frと１６gfであり、隣接する２つのピンの間のピッチは最小ピッチＰminとなる。そして、ピン１４gと１４hとについてみると、隣接する２つのピンの互いに向かいあった２つのピン半体はいずれも短くされたピン半体１６grと１６hfであり、このときには隣接する２つのピンの間のピッチは最大ピッチＰmaxとなる。
【００１６】
このように本発明によれば、リンクプレートはすべて同一の形状のものとされても、一対のピン半体の組合せよりなるピンの少なくとも一部に於いて一対のピン半体の一方が他方より短くされ、一般に円錐状に形成されるベルト係合面を呈する図には示されていない一対のプーリ半体間に掛け渡されたとき、長さの異なる一対のピン半体の組合せに於いては長い方のピン半体のみがベルト係合面に両端にて当接するようになっていれば、これによってベルト係合面に対する前記ピン半体の当接ピッチはＰmin、Ｐmax、Ｐmedの如く３種類の間で変化することができ、これら３つの異なるピッチのうち少なくともいずれか２つが不規則に配列されれば、チェーンベルトの作動時の共振は回避され、少なくとも共振による騒音レベルの上昇のないチェーンベルトが得られる。尚、ピッチの種類が２種類とされるときには、それらは相対的に長短の関係となり、例えば、長短長長短長短短の如く、不規則配列が可能である。
【００１７】
以上に於いては本発明を３種類の異なるピン半体間ピッチが得られる一つの実施の形態について詳細に説明したが、これより上記の如き長短の不規則ピッチ配列も得られること、およびかかる実施の形態について本発明の範囲内にて種々の変更が可能であることは当業者にとって明らかであろう。
【図面の簡単な説明】
【００１８】
【図１】本発明によるチェーンベルトの一つの実施の形態を示す一部断面による平面図。
【図２】図１に示すチェーンベルトの一部の側面図。
【符号の説明】
【００１９】
１０a〜１０i…リンクプレート、１２ar〜１２ef…ピン孔、１４a〜１４h…ピン、１６af〜１６hr…ピン半体、１８af〜１８dr…ピン半体の外側面、２０af〜２０dr…ピン半体の内側面、２２afp〜２２hrq…リンクプレートの抜止め
【図１】
2005121179.tif 000003
【図２】
2005121179.tif 000004